(57)【要約】【課題】固定部が取付部に対して直交する方向に延設された状態を維持すること。【解決手段】一方の固定体２１における取付部２２と固定部２３との間の屈曲部２６は、取付部２２に対して固定部２３が直交する方向に延設された状態を維持可能な剛性を有している。また、他方の固定体３１における取付部と固定部３３との間の屈曲部には補強リブが設けられており、当該屈曲部は取付部に対して固定部３３が直交する方向に延設された状態を維持可能な剛性を有している。そして、ボックス固定具１０は、一対の固定体２１，３１それぞれが単独で軽量形鋼材Ｐに固定されて間仕切壁内に配線ボックスＢを固定可能に構成されている。【選択図】図１
2011174327.tif 000002
【特許請求の範囲】
【請求項１】
間仕切壁内に配設体を設置するため、前記間仕切壁を構築するため立設された下地材に取り付けられる配設体固定具であって、
前記配設体が固定される固定面を有する固定部と、
前記固定部の基端側に前記固定部に対して直交して延びるように曲げ形成されるとともに前記下地材に取り付けられる取付部と、を有する一対の固定体を備え、
両固定体の前記固定部が互いに先端側から重合してスライド可能に嵌合されることで長さ調節可能に構成され、
両固定体における前記取付部と前記固定部との間の屈曲部は、前記取付部に対して前記固定部が直交する方向に延設された状態を維持可能な剛性を有しており、一対の固定体それぞれが単独で前記下地材に固定されて前記間仕切壁内に前記配設体を固定可能に構成されていることを特徴とする配設体固定具。
【請求項２】
前記配設体はコンセント又はスイッチが取り付けられる配線ボックスであり、
前記屈曲部は、一対の固定体それぞれが単独で前記下地材に固定された状態で、前記間仕切壁に前記コンセント又は前記スイッチを設置するために行われる作業により、前記配線ボックスに作用する負荷に抗して、前記取付部に対して前記固定部が直交する方向に延設された状態を維持可能な剛性を有していることを特徴とする請求項１に記載の配設体固定具。
【請求項３】
両固定部のうちの一方の先端部に係止部が設けられるとともに、他方に、前記一対の固定体が、前記取付部が互いに離間する方向へスライドしたときに前記係止部が係止可能な被係止部が設けられ、
前記係止部は前記被係止部との係止状態を解除するために弾性変形可能に形成されていることを特徴とする請求項１又は請求項２に記載の配設体固定具。
【請求項４】
コンセント又はスイッチが取り付けられる配線ボックスを間仕切壁内に設置するために前記配線ボックスが固定されるとともに、前記間仕切壁を構築するため立設された下地材に取り付けられる配設体固定具の使用方法であって、
前記配設体固定具は、前記配線ボックスが固定される固定面を有する固定部と、前記固定部の基端側に前記固定部に対して直交して延びるように曲げ形成されるとともに前記下地材に取り付けられる取付部と、を有する一対の固定体を備え、
両固定体の前記固定部が互いに先端側から重合してスライド可能に嵌合されることで長さ調節可能に構成され、
両固定体における前記取付部と前記固定部との間の屈曲部は、前記取付部に対して前記固定部が直交する方向に延設された状態を維持可能な剛性を有しており、
前記コンセントが取り付けられる前記配線ボックスが前記固定部に固定される場合は、互いに嵌合した固定体の両取付部を隣り合う前記下地材に取り付けて使用され、
前記スイッチが取り付けられる前記配線ボックスが前記固定部に固定される場合は、互いに嵌合した固定体の両取付部を隣り合う前記下地材に取り付けて使用する方法、及び互いに分離された固定体のうちの一方の前記取付部を前記下地材に取り付けて使用する方法のいずれか一方の方法を選択して使用されることを特徴とする配設体固定具の使用方法。
【発明の詳細な説明】
【技術分野】
【０００１】
本発明は、間仕切壁内に配設体を設置するため、間仕切壁を構築するため立設された下地材に固定される配設体固定具、及び配設体固定具の使用方法に関する。
【背景技術】
【０００２】
一般に、軽量間仕切壁（間仕切壁）は、複数の軽量形鋼（下地材）が所定間隔をおいて立設されるとともに、それら軽量形鋼を前後から挟むように壁材が設けられることで形成されるものである。この軽量間仕切壁内において、軽量形鋼から壁材の壁面に沿って延びる方向に離間した位置に配線ボックス（配設体）を設置するには、隣り合う軽量形鋼間に架設されるボックス取付具（配設体固定具）が用いられ、このボックス取付具としては、例えば特許文献１に開示のものが挙げられる。
【０００３】
特許文献１のボックス取付具は、ボックス取付面（固定面）を有する細長板状の取付具本体（固定部）と、取付具本体における長手方向の両端部にそれぞれ折り曲げ可能に連設された取付板部（取付部）とを有する一対の取付具単体（固定体）によって構成されている。一方の取付具単体における取付具本体は、その幅方向の両端部をボックス取付面に対して反対側に断面コの字状に折り曲げられており、その折り曲げられた部位の内側に、他方の取付具単体における取付具本体がスライド可能に嵌合されることで、一対の取付具単体が一体化されてボックス取付具が構成される。
【０００４】
取付具本体と取付板部との間には、切込み及びスリットが取付具本体の幅方向に沿って形成されている。この切込み及びスリットにより、取付具単体は、取付具本体と取付板部との間で幅方向に沿って折り曲げ易い構造になっている。そして、軽量形鋼にボックス取付具を固定する際には、ボックス取付具の両端部に位置する取付板部を各取付具本体に対して直角に折り曲げるとともに、それら取付板部を軽量形鋼に対して固定すると、隣り合う軽量形鋼間にボックス取付具が架け渡される。このボックス取付具におけるボックス取付面の所望位置に配線ボックスを固定することにより、配線ボックスが、軽量間仕切壁内において、軽量形鋼から壁材の壁面に沿って延びる方向に離間した位置に設置される。
【０００５】
また、軽量形鋼に取り付けられるボックス固定具として、例えば特許文献２に開示のものが挙げられる。特許文献１のボックス固定具は、軽量型鋼の側面に取り付けられる取付部と、取付部から延設されるとともに配線ボックスが固定される固定面を有する固定片（固定部）とを備えている。固定片は、取付部が軽量型鋼に取り付けられた状態において、軽量型鋼から壁材の壁面に沿って延びる方向に延設される。そして、配線ボックスは、軽量型鋼から壁材の壁面に沿って延びる方向に延設された固定片の固定面に対して固定される。その結果、配線ボックスが、軽量間仕切壁内において、軽量型鋼から壁材の壁面に沿って延びる方向に離間した位置に設置される。
【先行技術文献】
【特許文献】
【０００６】
【特許文献１】特開平１１−３５０６３５号公報
【特許文献２】特開２００７−２３１６９５号公報
【発明の概要】
【発明が解決しようとする課題】
【０００７】
ところで、特許文献１のボックス取付具において、例えば、配線ボックスを軽量形鋼の直近に配設させる場合には、一対の取付具本体を用いて長さ調節しなくても、ボックス取付具の一方の取付具本体のみを軽量形鋼に取り付けて使用することも可能である。しかしながら、特許文献１のボックス取付具には、取付板部を取付具本体に対して曲げ易くするために、切込み及びスリットが形成されている。このため、ボックス取付具では、取付板部と取付具本体との間の強度が切込み及びスリットによって低くなってしまっており、隣り合う軽量形鋼材間にボックス取付具を架け渡して、両持ち支持させる必要があった。
【０００８】
また、特許文献１のボックス取付具では、例えば、ボックス取付面に配線ボックスを取り付ける場合、配線ボックスを介して取付具本体に負荷がかかると、取付具本体が取付板部と取付具本体との間を基点にして撓んでしまう。よって、取付具本体が取付板部に対して直交する方向に延設されなくなり、配線ボックスが壁裏側へ離れた位置に配設されてしまう。
【０００９】
さらに、例えば、軽量間仕切壁を構築する壁材に壁孔を穿設する場合、配線ボックスに負荷がかかってしまう場合がある。この場合においても、取付具本体が取付板部と取付具本体との間を基点にして撓んでしまい、取付具本体が取付板部に対して直交する方向に延設されなくなり、配線ボックスが壁裏側へ離れた位置に配設されてしまう。
【００１０】
また、配線ボックスがボックス取付面に取り付けられた状態において、壁材を立設する際に、例えば、作業者の手が配線ボックスに当たってしまうことで配線ボックスに対して外力が加わってしまうと、取付具本体が取付板部に対して直交する方向に延設されなくなり、配線ボックスが壁裏側へ離れた位置に配設されてしまう。
【００１１】
そこで、特許文献２のボックス固定具は、切込み及びスリットを形成せずに固定片に対して直交して延びるように曲げ形成することで取付部が形成されているため、固定片と取付部との間の強度が維持されている。しかしながら、特許文献２のボックス固定具では、固定片の一端のみが軽量形鋼に取り付けられ、片持ち支持されたものであり、例えば、コンセントのように差込プラグが抜き差しされる際に配線ボックスに対して負荷がかかる場合、取付部に対して固定片が直交する方向に延設された状態を維持することができない場合がある。
【００１２】
なお、こうした問題は、軽量間仕切壁内に配線ボックスを設置するために軽量形鋼に取り付けられるボックス取付具に限らず、例えば、軽量間仕切壁内に配設体としての配線・配管材を設置するために軽量形鋼に取り付けられる配設体固定具においても、概ね共通したものとなっている。
【００１３】
本発明は、このような従来の技術に存在する問題点に着目してなされたものであり、その目的は、固定部が取付部に対して直交する方向に延設された状態を維持することができる配設体固定具、及び配設体固定具の使用方法を提供することにある。
【課題を解決するための手段】
【００１４】
上記目的を達成するために、請求項１に記載の発明は、間仕切壁内に配設体を設置するため、前記間仕切壁を構築するため立設された下地材に取り付けられる配設体固定具であって、前記配設体が固定される固定面を有する固定部と、前記固定部の基端側に前記固定部に対して直交して延びるように曲げ形成されるとともに前記下地材に取り付けられる取付部と、を有する一対の固定体を備え、両固定体の前記固定部が互いに先端側から重合してスライド可能に嵌合されることで長さ調節可能に構成され、両固定体における前記取付部と前記固定部との間の屈曲部は、前記取付部に対して前記固定部が直交する方向に延設された状態を維持可能な剛性を有しており、一対の固定体それぞれが単独で前記下地材に固定されて前記間仕切壁内に前記配設体を固定可能に構成されていることを要旨とする。
【００１５】
請求項２に記載の発明は、請求項１に記載の発明において、前記配設体はコンセント又はスイッチが取り付けられる配線ボックスであり、前記屈曲部は、一対の固定体それぞれが単独で前記下地材に固定された状態で、前記間仕切壁に前記コンセント又は前記スイッチを設置するために行われる作業により、前記配線ボックスに作用する負荷に抗して、前記取付部に対して前記固定部が直交する方向に延設された状態を維持可能な剛性を有していることを要旨とする。
【００１６】
ここで、「前記間仕切壁に前記コンセント又は前記スイッチを設置するために行われる作業」とは、固定面に配線ボックスを取り付ける作業、間仕切壁を構築する壁材に壁孔を穿設する作業、壁材を立設する作業などのことをいう。
【００１７】
請求項３に記載の発明は、請求項１又は請求項２に記載の発明において、両固定部のうちの一方の先端部に係止部が設けられるとともに、他方に、前記一対の固定体が、前記取付部が互いに離間する方向へスライドしたときに前記係止部が係止可能な被係止部が設けられ、前記係止部は前記被係止部との係止状態を解除するために弾性変形可能に形成されていることを要旨とする。
【００１８】
請求項４に記載の発明は、コンセント又はスイッチが取り付けられる配線ボックスを間仕切壁内に設置するために前記配線ボックスが固定されるとともに、前記間仕切壁を構築するため立設された下地材に取り付けられる配設体固定具の使用方法であって、前記配設体固定具は、前記配線ボックスが固定される固定面を有する固定部と、前記固定部の基端側に前記固定部に対して直交して延びるように曲げ形成されるとともに前記下地材に取り付けられる取付部と、を有する一対の固定体を備え、両固定体の前記固定部が互いに先端側から重合してスライド可能に嵌合されることで長さ調節可能に構成され、両固定体における前記取付部と前記固定部との間の屈曲部は、前記取付部に対して前記固定部が直交する方向に延設された状態を維持可能な剛性を有しており、前記コンセントが取り付けられる前記配線ボックスが前記固定部に固定される場合は、互いに嵌合した固定体の両取付部を隣り合う前記下地材に取り付けて使用され、前記スイッチが取り付けられる前記配線ボックスが前記固定部に固定される場合は、互いに嵌合した固定体の両取付部を隣り合う前記下地材に取り付けて使用する方法、及び互いに分離された固定体のうちの一方の前記取付部を前記下地材に取り付けて使用する方法のいずれか一方の方法を選択して使用されることを要旨とする。
【発明の効果】
【００１９】
この発明によれば、固定部が取付部に対して直交する方向に延設された状態を維持することができる。
【図面の簡単な説明】
【００２０】
【図１】実施形態におけるボックス固定具が軽量形鋼材に取り付けられた状態を示す斜視図。
【図２】一方の固定体を示す平面図。
【図３】一方の固定体を示す側面図。
【図４】他方の固定体を示す平面図。
【図５】他方の固定体を示す側面図。
【図６】図４におけるＡ−Ａ線断面図。
【図７】係止突片が被係止孔の先端側内面に係止された状態を拡大して示す部分断面図。
【図８】一方の固定体の一部分と取付台座を示す斜視図。
【図９】ボックス固定具を軽量形鋼材に保持した状態を示す斜視図。
【図１０】一方の固定体と他方の固定体とを嵌合させる前の状態を示す斜視図。
【図１１】ボックス固定具に配線ボックスを固定した状態を示す平断面図。
【図１２】配線ボックスにコンセントを取り付けた状態を示す縦断面図。
【図１３】一方の固定体が軽量形鋼材に取り付けられた状態を示す斜視図。
【図１４】配線ボックスにスイッチを取り付けた状態を示す縦断面図。
【図１５】他方の固定体が隣り合う軽量形鋼材の間に架設された状態を示す斜視図。
【図１６】他方の固定体が隣り合う軽量形鋼材の間に架設された状態を示す斜視図。
【発明を実施するための形態】
【００２１】
以下、本発明を軽量間仕切壁（間仕切壁）内に配設体としての配線ボックスを設置するために下地材としての軽量形鋼材に固定されるボックス固定具に具体化した一実施形態を図１〜図１４にしたがって説明する。
【００２２】
まず、軽量間仕切壁Ｗについて説明する。
図１１に示すように、軽量間仕切壁Ｗは、複数（図１１では二つの軽量形鋼材Ｐのみ図示）の軽量形鋼材Ｐを所定の間隔をおいて立設するとともに、一対の壁材Ｗａを軽量形鋼材Ｐを前後に挟むようにして設置することにより構築される。
【００２３】
図１及び図１１に示すように、軽量形鋼材Ｐは薄鋼板からなるとともに、平断面視すると、略Ｃ字状をなすＣ型鋼である。軽量形鋼材Ｐは、その立設方向（上下方向）に延びる開口部Ｐａと、該開口部Ｐａに対向する背面板部Ｐｂと、該背面板部Ｐｂを挟む一対の側板部Ｐｃとを備えている。また、開口部Ｐａは、一対の側板部Ｐｃから延設されるとともに互いに対向する一対のリップ部Ｐｄの間に形成され、各リップ部Ｐｄと背面板部Ｐｂとは互いに対向している。
【００２４】
複数の軽量形鋼材Ｐは、各軽量形鋼材Ｐの開口部Ｐａがそれぞれ同じ方向に向けられるとともに、壁材Ｗａが設置される側の一対の側板部Ｐｃの外壁面は、それぞれ同一平面上に配置される。
【００２５】
次に、配線ボックスＢについて説明する。
図１に示すように、配線ボックスＢは、四角板状をなす底壁Ｂ１と、該底壁Ｂ１の周縁に立設された側壁Ｂ２とからなる有底四角箱状に形成されている。そして、配線ボックスＢは、底壁Ｂ１及び側壁Ｂ２に囲み形成されたボックス開口部Ｓが一面（前面）に向けて開口している。上側の側壁Ｂ２及び下側の側壁Ｂ２の内面それぞれには取付部Ｂ３が一体形成されるとともに、取付部Ｂ３には、一面（前面）からビスＢ５（図１２参照）を挿通可能な挿通孔Ｂ４が形成されている。そして、配線ボックスＢは、軽量間仕切壁Ｗ内における隣り合う軽量形鋼材Ｐの間であって、軽量形鋼材Ｐから壁材Ｗａの壁面に沿って延びる方向に離間した位置に、一対の固定体２１，３１から構成されるボックス固定具１０を用いて設置される。
【００２６】
次に、ボックス固定具１０の一部を構成する一方の固定体２１について説明する。
一方の固定体２１は、矩形板状の（一方の）取付部２２と、取付部２２の一端面２２ａにおける一側縁から一端面２２ａに対して直交する方向へ延設される固定部２３とを備えており、一枚の金属板を直角に折り曲げることにより形成されている。なお、以下の説明において、固定部２３の延設方向とは、取付部２２からの延設方向を示すものとする。取付部２２には、取付部２２の長辺方向及び短辺方向それぞれに複数（本実施形態では６つ）の挿通孔２４が形成されている。
【００２７】
図２及び図３に示すように、固定部２３は、その延設方向へ延びる細長板状をなすとともに、固定部２３の基端部には、固定部２３に対して直交して延びる取付部２２が一体的に形成されている。また、固定部２３の延設方向に沿う長さは、配線ボックスＢにおける幅方向（左右方向）の長さよりも長くなっている。よって、固定部２３は、その長さ内に少なくとも一つの配線ボックスＢが収まるように固定できる大きさに設定されている。
【００２８】
図２に示すように、固定部２３において、取付部２２の一端面２２ａに連続する面（前面）は、配線ボックスＢを固定可能な固定面２３ａとなっている。また、固定部２３には、延設方向に沿うように延びる複数（本実施形態では５つ）の長孔２３ｂが形成されている。各長孔２３ｂは、固定部２３の幅方向における中央に形成されるとともに、各長孔２３ｂの長手方向が延設方向に沿うようにしてそれぞれ所定の間隔をおいて設けられている。
【００２９】
固定部２３における長孔２３ｂが形成された位置よりも幅方向にずれた位置には、固定部２３の厚み方向へ貫通する被係止孔２５が、固定部２３の延設方向に沿って延びるように形成されている。被係止孔２５は、固定部２３の最も先端側に位置する長孔２３ｂから最も基端側に位置する長孔２３ｂまで連続して延びるように形成されている。
【００３０】
図３に示すように、取付部２２の厚みＴ１は、固定部２３の厚みＴ２と同じ厚みになっている。また、取付部２２と固定部２３との間の屈曲部２６の厚みＴ３は、取付部２２の厚みＴ１及び固定部２３の厚みＴ２と同じ厚みになっている。そして、一方の固定体２１の屈曲部２６は、固定部２３に外力が加わったとしても、固定部２３が取付部２２に対して曲がることなく、固定部２３が取付部２２に対して直交する方向に延設された状態を維持することができる剛性を有するように設定されている。
【００３１】
次に、ボックス固定具１０の一部を構成する他方の固定体３１について説明する。
図４及び図５に示すように、他方の固定体３１は、矩形板状の（一方の）取付部３２と、取付部３２の一端面３２ａにおける一側縁から一端面３２ａに対して直交する方向へ延設される固定部３３とを備えており、一枚の金属板を円弧状に折り曲げることにより形成されている。なお、以下の説明において、固定部３３の延設方向とは、取付部３２からの延設方向を示すものとする。取付部３２には、取付部３２の長辺方向及び短辺方向それぞれに複数（本実施形態では６つ）の挿通孔３４（図６参照）が形成されている。
【００３２】
固定部３３は、その延設方向へ延びる細長板状をなすとともに、固定部３３の基端部には、固定部３３に対して直交して延びる取付部３２が一体的に形成されている。また、固定部３３の延設方向に沿う長さは、配線ボックスＢにおける幅方向（左右方向）の長さよりも長くなっている。よって、固定部３３は、その長さ内に少なくとも一つの配線ボックスＢが収まるように固定できる大きさに設定されている。
【００３３】
図４に示すように、固定部３３において、取付部３２の一端面３２ａに連続する面（前面）は、配線ボックスＢを固定可能な固定面３３ａとなっている。また、固定部３３には、延設方向に沿うように延びる複数（本実施形態では９つ）の長孔３３ｂが形成されている。各長孔３３ｂは、固定部３３の幅方向における中央に形成されるとともに、各長孔３３ｂの長手方向が延設方向に沿うようにしてそれぞれ所定の間隔をおいて設けられている。
【００３４】
図５に示すように、取付部３２の厚みＴ４は、固定部３３の厚みＴ５と同じ厚みになっている。また、図５において拡大して示すように、取付部３２と固定部３３との間の屈曲部３６は円弧状に折り曲げられているため、屈曲部３６の厚みＴ６は、取付部３２の厚みＴ４及び固定部３３の厚みＴ５と同じ厚みになっている。また、取付部３２及び固定部３３の厚みＴ４，Ｔ５は、取付部２２及び固定部２３の厚みＴ１，Ｔ２の厚みよりも薄くなっている。さらに、取付部３２と固定部３３との間の部位の一部分には、補強リブ３２ｂが取付部３２と固定部３３とを跨ぐように設けられている。
【００３５】
図４に示すように、固定部３３において、固定部３３の最も先端側に位置する長孔３３ｂにおける中央部を挟む位置には、曲げ部として機能可能な一対の第１細長孔３８ａが固定部３３の幅方向に沿って延びるように形成されている。また、固定部３３において、固定部３３の先端側から二番目に位置する長孔３３ｂにおける先端側を挟む位置には、曲げ部として機能可能な一対の第２細長孔３８ｂが固定部３３の幅方向に沿って延びるように形成されている。さらに、固定部３３において、固定部３３の先端側から二番目に位置する長孔３３ｂにおける一端側寄りを挟む位置には、曲げ部として機能可能な一対の第３細長孔３８ｃが固定部３３の幅方向に沿って延びるように形成されている。また、固定部３３において、固定部の先端側から三番目に位置する長孔３３ｂにおける先端側寄りを挟む位置には、曲げ部として機能可能な一対の第４細長孔３８ｄが固定部３３の幅方向に沿って延びるように形成されている。各細長孔３８ａ〜３８ｄは、固定部３３の延設方向に沿って一定の間隔をあけて設けられている。
【００３６】
図６に示すように、固定部３３の幅方向における両側縁部には一対の嵌合突片３５が固定部３３の延設方向へ延びるように形成されている。嵌合突片３５は、固定部３３に対して直交する方向へ延びる延在部３５ａと、延在部３５ａに対して直交するように固定部３３の幅方向中央へ向かって延びる突片３５ｂとから構成されている。突片３５ｂは、固定部３３と平行に設けられている。固定部３３における固定面３３ａとは反対側の面から突片３５ｂの内面までの隙間の大きさは、一方の固定体２１における固定部２３の厚さよりも僅かに大きくなるように設定されている。図４に示すように、嵌合突片３５は、固定部３３の延設方向において、その先端側が一対の第２細長孔３８ｂが形成された位置まで延びるように形成されるとともに、基端側が、取付部３２が設けられた位置の手前まで延びるように形成されている。
【００３７】
固定部３３における幅方向の両側縁部において、第２細長孔３８ｂを挟む位置には曲げ部として機能可能な第１スリット３９ｂが形成されている。また、両嵌合突片３５において、第３細長孔３８ｃを挟む位置には曲げ部として機能可能な第２スリット３９ｃが形成されている。さらに、両嵌合突片３５において、第４細長孔３８ｄを挟む位置には曲げ部として機能可能な第３スリット３９ｄが形成されている。
【００３８】
固定部３３は、第１細長孔３８ａにより固定部３３の幅方向に沿って折り曲げ可能になっている。また、固定部３３は、第２細長孔３８ｂ及び第１スリット３９ｂにより固定部３３の幅方向に沿って折り曲げ可能になっている。さらに、固定部３３は、第３細長孔３８ｃ及び第２スリット３９ｃにより固定部３３の幅方向に沿って折り曲げ可能になっている。また、固定部３３は、第４細長孔３８ｄ及び第３スリット３９ｄにより固定部３３の幅方向に沿って折り曲げ可能になっている。
【００３９】
例えば、固定部３３が第１細長孔３８ａにより折り曲げられて、固定部３３における第１細長孔３８ａよりも先端側により、軽量形鋼材Ｐに取り付けられる他方の取付部が形成される。そして、固定部３３において、他方の取付部よりも基端側の各細長孔３８ａ〜３８ｄ及び各スリット３９ｂ〜３９ｄにより固定部３３を折り曲げて、固定部３３の延設方向における取付部３２から他方の取付部までの長さが調節可能になっている。
【００４０】
また、例えば、固定部３３が第２細長孔３８ｂ及び第１スリット３９ｂにより折り曲げられて、固定部３３における第２細長孔３８ｂよりも先端側により、軽量形鋼材Ｐに取り付けられる他方の取付部が形成される。そして、固定部３３において、他方の取付部よりも基端側の各細長孔３８ｂ〜３８ｄ及び各スリット３９ｂ〜３９ｄにより固定部３３を折り曲げて、固定部３３の延設方向における取付部３２から他方の取付部までの長さが調節可能になっている。
【００４１】
さらに、例えば、固定部３３が第３細長孔３８ｃ及び第２スリット３９ｃにより折り曲げられて、固定部３３における第３細長孔３８ｃよりも先端側により、軽量形鋼材Ｐに取り付けられる他方の取付部が形成される。そして、固定部３３において、他方の取付部よりも基端側の各細長孔３８ｃ，３８ｄ及び各スリット３９ｃ，３９ｄにより固定部３３を折り曲げて、固定部３３の延設方向における取付部３２から他方の取付部までの長さが調節可能になっている。
【００４２】
また、例えば、固定部３３が第４細長孔３８ｄ及び第３スリット３９ｄにより折り曲げられて、固定部３３における第４細長孔３８ｄよりも先端側により、軽量形鋼材Ｐに取り付けられる他方の取付部が形成される。
【００４３】
固定部３３の延設方向における第１細長孔３８ａと第２細長孔３８ｂとの間には、係止部としての係止突片３７が形成されている。係止突片３７は、固定部３３の最も先端側に位置する長孔３３ｂが形成された位置よりも幅方向にずれた部位に、固定面３３ａから離間する側へ切り起こされるように形成されている。また、係止突片３７は、固定部３３から切り起こされた部位から先端にかけて撓るように弾性変形可能になっている。図５に示すように、係止突片３７の突出方向は、固定面３３ａとは反対側の面に対して交差し、且つ係止突片３７の先端が固定部３３の基端側を向くように設定されている。よって、係止突片３７は、固定面３３ａから突出することなく固定部３３の先端部に設けられている。
【００４４】
上記構成の一方の固定体２１と他方の固定体３１とは、図１０に示すように、一方の固定体２１における固定部２３の先端側を、他方の固定体３１の先端側に重合させながら嵌合突片３５の間に差し込むと、一方の固定体２１における固定部２３の先端側と、他方の固定体３１における固定部３３の先端側とが重合しながら嵌合する。これにより、一方の固定体２１と他方の固定体３１とが一体に組み付けられ、ボックス固定具１０が構成される。
【００４５】
図７に示すように、ボックス固定具１０において、係止突片３７は、その先端側が被係止孔２５内に挿入されるとともに、一方の固定体２１と他方の固定体３１とのスライドの際には、被係止孔２５内を延設方向にスライド可能になっている。さらに、係止突片３７は、一対の固定体２１，３１が、取付部２２，３２が互いに離間する方向へスライドしたときに、被係止孔２５の先端側内面２５ａに係止可能になっている。したがって、被係止孔２５の先端側内面２５ａは係止突片３７と係止可能な被係止部として機能するとともに、本実施形態の被係止孔２５は、係止突片３７を固定部２３の延設方向に沿う方向に案内させる案内部として機能する。
【００４６】
また、上記構成のボックス固定具１０が軽量形鋼材Ｐに架設される際、取付部２２，３２には取付台座４１が組み付けられるようになっている。
図８に示すように、取付台座４１は、合成樹脂材料よりなる矩形板状の台座本体４２と、台座本体４２から突設された突出部４６とを一体に備えてなる。突出部４６は、全体が平板状をなすとともに正面視コの字状であり、台座本体４２における一方の長側辺側となる端面に一体形成されている。
【００４７】
台座本体４２の一端面には、取付部２２，３２が嵌合される嵌合凹部４２ａが形成されるとともに、嵌合凹部４２ａの略中央部には取付突起４２ｂが形成されている。この取付突起４２ｂは、取付部２２，３２が嵌合凹部４２ａ内に嵌合されて取り付けられたとき、取付部２２，３２の中央部に形成された二つの挿通孔２４，３４のうちいずれか一方に挿通されるようになっている。
【００４８】
また、台座本体４２の一端面には、嵌合凹部４２ａ側へ突出する一対の取付凸部４２ｃが突設されている。この取付凸部４２ｃは、取付部２２，３２が嵌合凹部４２ａ内に嵌合されて取り付けられたとき、取付部２２，３２の一端面２２ａ，３２ａが取付凸部４２ｃに当接することで、取付部２２，３２が嵌合凹部４２ａから脱離してしまうことを防止している。
【００４９】
また、台座本体４２には、複数（本実施形態では２つ）の透孔４３が台座本体４２の厚み方向へ貫通して形成されるとともに、各透孔４３は取付ビス（図示せず）を挿通可能になっている。各透孔４３は、取付部２２，３２が嵌合凹部４２ａ内に嵌合されて取り付けられたとき、取付部２２，３２の中央部に形成された二つの挿通孔２４，３４以外の挿通孔２４，３４のうちいずれかと重合するようになっている。
【００５０】
そして、例えば、一方の固定体２１を取付台座４１に組み付ける際には、嵌合凹部４２ａに取付部２２を嵌合させるとともに、取付突起４２ｂを挿通孔２４に挿通させる。これにより、一方の固定体２１が取付台座４１に組み付けられる。なお、他方の固定体３１を取付台座４１に組み付ける場合においても、一方の固定体２１を取付台座４１に組み付ける場合と同じであり、その詳細な説明を省略する。
【００５１】
次に、上記構成のボックス固定具１０を用いて、軽量間仕切壁Ｗにコンセント６１又はスイッチ６３を設置する方法について説明する。なお、取付台座４１は、一方の固定体２１及び他方の固定体３１それぞれに既に組み付けられているものとする。
【００５２】
まず、軽量間仕切壁Ｗにコンセント６１を設置する場合について説明する。
初めに、隣り合う軽量形鋼材Ｐそれぞれに両取付台座４１が当接するように、一対の固定体２１，３１を互いにスライドさせてボックス固定具１０における延設方向の長さを調節する。このとき、隣り合う軽量形鋼材Ｐの間隔に合わせて、一対の固定体２１，３１を、取付部２２，３２が互いに離間する方向へスライドさせたとき、係止突片３７が被係止孔２５の先端側内面２５ａに係止する。よって、ボックス固定具１０における延設方向の長さを調節する際に、一方の固定体２１から他方の固定体３１が脱離してしまうことなく、ボックス固定具１０における延設方向の長さを調整することができる。
【００５３】
そして、図９に示すように、一方の固定体２１に組み付けられた一方の台座本体４２の他端面を、一方の軽量形鋼材Ｐのリップ部Ｐｄに当接させる。さらに、突出部４６の裏面を、一方の軽量形鋼材Ｐにおいて、リップ部Ｐｄに隣接し、且つ直交する側板部Ｐｃに当接させる。そして、一方の軽量形鋼材Ｐを背面板部Ｐｂ側から手で掴むとともに突出部４６を手で掴み、親指によって突出部４６の表面を押圧して突出部４６の裏面を側板部Ｐｃに押し当てて、一方の取付台座４１を一方の軽量形鋼材Ｐに保持する。
【００５４】
次に、挿通孔２４及び透孔４３に取付ビス（図示せず）を挿入し、リップ部Ｐｄへ取付ビスを螺入する。すると、一方の取付台座４１が一方の軽量形鋼材Ｐに固定されるとともに、ボックス固定具１０（一方の固定体２１）が一方の軽量形鋼材Ｐに支持される。このとき、ボックス固定具１０は、固定面２３ａに配線ボックスＢを固定したとき、配線ボックスＢの前面が一対の側板部Ｐｃの外壁面と同一平面上に位置するように軽量形鋼材Ｐに取り付けられる。その後、突出部４６をプライヤ（図示せず）で把持するとともに、折り曲げる等することにより突出部４６が一方の台座本体４２から除去される。
【００５５】
なお、他方の固定体３１も上記と同様に他方の軽量形鋼材Ｐの背面板部Ｐｂに取り付けるが、その取り付け方法は一方の固定体２１を一方の軽量形鋼材Ｐのリップ部Ｐｄに取り付ける方法とほぼ同一のため、その詳細な説明を省略する。他方の固定体３１が他方の軽量形鋼材Ｐの背面板部Ｐｂに取り付けられると、隣り合う軽量形鋼材Ｐの間にボックス固定具１０が架設される。
【００５６】
次に、隣り合う軽量形鋼材Ｐの間にボックス固定具１０が架設された状態で、隣り合う軽量形鋼材Ｐの間隔を所望の間隔に調節するため、軽量形鋼材Ｐ同士を互いに接離させる。このとき、隣り合う軽量形鋼材Ｐを互いに離間する方向へ移動させると、係止突片３７が被係止孔２５の先端側内面２５ａに係止する。よって、ボックス固定具１０が隣り合う軽量形鋼材Ｐに両持ち支持された状態で、軽量形鋼材Ｐの間隔が所望の間隔になるように軽量形鋼材Ｐを互いに離間する方向へ移動させても、一方の固定体２１から他方の固定体３１が脱離してしまうことがない。
【００５７】
そして、隣り合う軽量形鋼材Ｐ同士の間隔が所望の間隔になったら、配線ボックスＢを固定面３３ａに固定する。ここで、配線ボックスＢを固定部２３に固定する際、配線ボックスＢから固定部２３に対して負荷がかかり、この負荷は固定部２３から取付部２２を介して軽量形鋼材Ｐに受承される。しかし、固定部２３の屈曲部２６は、固定部２３が取付部２２に対して曲がることなく、固定部２３が取付部２２に対して直交する方向に延設された状態を維持することができる剛性を有している。よって、配線ボックスＢから固定部２３に負荷がかかったとしても、固定部２３が取付部２２に対して直交する方向に延設された状態を維持することができる。
【００５８】
そして、両側板部Ｐｃに壁材Ｗａが当接するように一対の壁材Ｗａを立設する。このとき、例えば、作業者の手が配線ボックスＢに当たってしまうことで配線ボックスＢに対して外力が加わってしまう場合がある。しかし、固定部２３の屈曲部２６は、固定部２３が取付部２２に対して曲がることなく、固定部２３が取付部２２に対して直交する方向に延設された状態を維持することができる剛性を有している。よって、配線ボックスＢから固定部２３に負荷がかかったとしても、固定部２３が取付部２２に対して直交する方向に延設された状態を維持することができる。よって、配線ボックスＢのボックス開口部Ｓが壁材Ｗａの裏面に当接した状態で軽量間仕切壁Ｗが構築される。
【００５９】
次に、図１２に示すように、前方の壁材Ｗａに壁孔Ｗｂを穿設して配線ボックスＢを壁表側に臨ませる。このとき、壁材Ｗａに壁孔Ｗｂを穿設するための穿工具（図示せず）を壁材Ｗａに押し付ける負荷が配線ボックスＢに伝わって、配線ボックスＢに負荷がかかってしまう場合がある。しかし、固定部２３の屈曲部２６は、固定部２３が取付部２２に対して曲がることなく、固定部２３が取付部２２に対して直交する方向に延設された状態を維持することができる剛性を有している。よって、配線ボックスＢから固定部２３に負荷がかかったとしても、固定部２３が取付部２２に対して直交する方向に延設された状態を維持することができる。
【００６０】
そして、コンセント６１を配線器具保持枠６２に保持させ、コンセント６１にケーブル（図示せず）を接続するとともに、配線器具保持枠６２を貫通させた一対のビスＢ５それぞれを、各取付部Ｂ３の挿通孔Ｂ４に挿通する。すると、配線ボックスＢにコンセント６１が設置されるとともに、コンセント６１が軽量間仕切壁Ｗに設置される。
【００６１】
コンセント６１に対して差込プラグ（図示せず）が抜き差しされる際には、配線ボックスＢに対して負荷がかかる。このとき、この負荷は、一対の固定部２３，３３から一対の取付部２２，３２（取付台座４１）を介して一対の軽量形鋼材Ｐに受承される。しかし、他方の固定体３１の屈曲部３６には補強リブ３２ｂが設けられており、各固定体２１，３１の屈曲部２６，３６は、各固定部２３，３３が各取付部２２，３２に対して直交する方向に延設された状態を維持することが可能な剛性を有している。よって、配線ボックスＢに負荷が加わったとしても、固定部２３，３３が取付部２２，３２に対して直交する方向に延設された状態に維持される。
【００６２】
次に、ボックス固定具１０を用いて、軽量間仕切壁Ｗにスイッチ６３を設置する場合について説明する。なお、取付台座４１は、一方の固定体２１及び他方の固定体３１それぞれに既に組み付けられているものとする。
【００６３】
まず、ボックス固定具１０において、係止突片３７を弾性変形させることにより、係止突片３７が固定面３３ａとは反対側の面から突出された状態から固定部３３の内部に収められた状態にする。すると、係止突片３７が被係止孔２５の先端側内面２５ａと係止されずに、一方の固定体２１を他方の固定体３１から引き抜くことができ、一方の固定体２１と他方の固定体３１とが分離された状態になる。
【００６４】
次に、軽量間仕切壁Ｗにコンセント６１を設置する場合と同様にして、一方の固定体２１を軽量形鋼材Ｐに取り付ける。すると、図１３に示すように、一方の固定体２１は軽量形鋼材Ｐに片持ち支持された状態で軽量形鋼材Ｐに取り付けられる。さらに、一方の固定部２３の固定面２３ａに配線ボックスＢを固定する。
【００６５】
ここで、配線ボックスＢを固定部２３に固定する際、配線ボックスＢから固定部２３に対して負荷がかかり、この負荷は固定部２３から取付部２２を介して軽量形鋼材Ｐに受承される。しかし、固定部２３の屈曲部２６は、固定部２３が取付部２２に対して曲がることなく、固定部２３が取付部２２に対して直交する方向に延設された状態を維持することができる剛性を有している。よって、配線ボックスＢから固定部２３に負荷がかかったとしても、固定部２３が取付部２２に対して直交する方向に延設された状態を維持することができる。
【００６６】
さらに、図１４に示すように、軽量間仕切壁Ｗを構築した後、軽量間仕切壁Ｗにコンセント６１を設置する場合と同様に、配線ボックスＢにスイッチ６３を取り付ける。すると、スイッチ６３が軽量間仕切壁Ｗに設置される。
【００６７】
上記実施形態では以下の効果を得ることができる。
（１）一方の固定体２１の材料を所要の厚みに設定することにより、一方の固定体２１は、取付部２２と固定部２３との間の屈曲部２６が、固定部２３が取付部２２に対して直交する方向に延設された状態を維持されるように形成されている。また、他方の固定体３１において、取付部３２と固定部３３との間の屈曲部３６に補強リブ３２ｂが設けられている。よって、一対の固定体２１，３１のうち一方のみを単独で配線ボックスＢの設置に用いても、配線ボックスＢの固定時に固定部２３が撓んでしまうことを防止することができ、配線ボックスＢが壁材Ｗａから離れた位置に配設されてしまうことを防止することができる。
【００６８】
（２）他方の固定体３１には、嵌合突片３５内に一方の固定体２１が挿入されて互いが嵌合されるため、一対の固定体２１，３１を合わせた厚みが厚くならないように、他方の固定体３１の厚みを可能な限り薄くしている。しかし、他方の固定体３１の屈曲部３６には補強リブ３２ｂが設けられているため、屈曲部３６が、固定部３３が取付部３２に対して直交する方向に延設された状態に維持されるようになっており、固定部３３が撓んでしまうことを防止することができる。
【００６９】
（３）隣り合う軽量形鋼材Ｐに架け渡された状態のボックス固定具１０を用いてコンセント６１又はスイッチ６３を軽量間仕切壁Ｗに設置する場合、コンセント６１が選択される。コンセント６１は、差込プラグが抜き差しされる際に配線ボックスＢに対して負荷がかかる。しかし、この負荷は、両固定部２３，３３から両取付部２２，３２を介して軽量形鋼材Ｐに受承されるとともに、両屈曲部２６，３６は所要の強度を有しているため、両固定部２３，３３が両取付部２２，３２に対して直交する方向に延設された状態に維持することができる。よって、例えば、差込プラグをコンセント６１に差し込む場合のように、固定部２３，３３が壁材Ｗａから離れる方向へ外力が作用しても、一対の固定体２１，３１により、固定部２３，３３が壁材Ｗａから離れる方向へ移動してしまうことを防止することができる。
【００７０】
（４）ボックス固定具１０は、係止突片３７を弾性変形させて、一方の固定体２１を他方の固定体３１から引き抜くことで、一方の固定体２１と他方の固定体３１とを分離させることができるとともに、各固定体２１，３１の屈曲部２６，３６は所要の強度を有する。そして、一方の固定体２１を用いてコンセント６１又はスイッチ６３を軽量間仕切壁Ｗに設置する場合、スイッチ６３が選択される。スイッチ６３の操作は、コンセント６１に対する差込プラグの抜き差しに比べて、配線ボックスＢにかかる負荷が少ない。よって、スイッチ６３を選択することで、固定部２３が壁材Ｗａから離れる方向へ移動することを確実に防止することができる。
【００７１】
（５）一方の固定体２１における固定部２３の先端側は、他方の固定体３１における固定部３３の先端側に対して重合しながら嵌合突片３５の間にスライド可能に嵌合されている。また、一方の固定部２３には被係止孔２５が形成されるとともに、他方の固定部３３の先端部には、係止突片３７が設けられている。よって、一対の固定体２１，３１が、取付部２２，３２が互いに離間する方向へスライドしたとしても、係止突片３７が被係止孔２５の先端側内面２５ａに係止することで、一方の固定体２１から他方の固定体３１が脱離してしまうことがない。よって、例えば、ボックス固定具１０が隣り合う軽量形鋼材Ｐに両持ち支持された状態で、軽量形鋼材Ｐの間隔が所望の間隔になるように軽量形鋼材Ｐを互いに離間する方向へ移動させたとしても、一方の固定体２１から他方の固定体３１が脱離してしまうことを防止することができる。
【００７２】
（６）係止突片３７は、固定部３３から切り起こされた部位から先端にかけて撓るように弾性変形可能になっている。よって、例えば、一方の固定体２１と他方の固定体３１とを分離しようとする際に、係止突片３７を弾性変形させることにより、係止突片３７が固定面３３ａとは反対側の面から突出された状態から固定部３３の内部に収められた状態にする。すると、係止突片３７が被係止孔２５の先端側内面２５ａと係止されずに、一方の固定体２１を他方の固定体３１から引き抜くことができる。
【００７３】
（７）被係止孔２５は、固定部２３の先端側から基端側にかけて連続して延びるように形成されている。よって、一対の固定体２１，３１を互いにスライド移動させる場合、係止突片３７が被係止孔２５に案内されながらスライドすることができ、係止突片３７が、一方の固定体２１の固定部２３に対して抵抗を受けずにスムーズに移動することができる。
【００７４】
（８）一対の固定体２１，３１が互いにスライドする際に、係止突片３７は、被係止孔２５に案内されながらスライド可能になっている。よって、一方の固定体２１及び他方の固定体３１に対して、延設方向と直交する方向へ外力が作用したときに、係止突片３７が被係止孔２５の内側面に当接するため、一対の固定体２１，３１が延設方向と直交する方向にずれることなく、被係止孔２５の案内方向に沿ってスライドすることができる。
【００７５】
（９）係止突片３７は、固定面３３ａから離間する側へ切り起こされて固定部３３と一体的に形成されている。よって、係止部として、固定部３３とは別体である突起部を、固定部３３における固定面３３ａとは反対側の面に溶接して固着させることで固定部３３に設ける場合と比較して、係止突片３７を固定部３３に容易に設けることができる。
【００７６】
（１０）固定部２３には、固定部２３の厚み方向へ貫通する被係止孔２５が、固定部２３の延設方向に沿って延びるように形成されている。よって、例えば、固定部２３に、固定部２３の厚み方向へ貫通せずに凹設される溝が固定部２３の延設方向に沿って延びるように形成されている場合のように、一対の固定体２１，３１がスライドする際に係止突片３７が溝の底面（固定部２３）に当接してしまうことがない。したがって、一対の固定体２１，３１がスライドする際に係止突片３７をスムーズに移動させることができる。
【００７７】
（１１）係止突片３７が被係止孔２５の先端側内面２５ａに係止されるため、一対の固定体２１，３１が、取付部２２，３２が互いに離間する方向へスライドしたとしても、一方の固定体２１に対して他方の固定体３１が脱離してしまうことがない。よって、例えば、ボックス固定具１０の運搬時に、一方の固定体２１と他方の固定体３１とをそれぞれ別々に運搬する必要がなく、ボックス固定具１０の運搬作業を容易なものとすることができる。
【００７８】
なお、上記実施形態は以下のように変更してもよい。
○  実施形態において、軽量間仕切壁Ｗにスイッチ６３を設置する場合、一方の固定体２１と他方の固定体３１とを分離して、一方の固定体２１を軽量形鋼材Ｐに片持ち支持させたが、これに限らない。例えば、軽量間仕切壁Ｗにスイッチ６３を設置する場合であっても、軽量間仕切壁Ｗにコンセント６１を設置する場合と同様に、隣り合う軽量形鋼材Ｐの間にボックス固定具１０を架設して両持ち支持させてもよい。
【００７９】
○  実施形態において、軽量間仕切壁Ｗにスイッチ６３を設置する場合、一方の固定体２１を軽量形鋼材Ｐに片持ち支持させたが、これに限らない。例えば、図１５に示すように、隣り合う軽量形鋼材Ｐの間隔が、他方の固定体３１における第２細長孔３８ｂよりも先端側が他方の取付部を形成するとともに、第２細長孔３８ｂと第３細長孔３８ｃとの間が固定面３３ａに対して傾斜された状態での取付部３２と他方の取付部との間の距離になっているものとする。すなわち、固定部３３が折り曲げられていない状態では、隣り合う軽量形鋼材Ｐの間隔が固定部３３における延設方向に沿った長さよりも短くなっているものとする。
【００８０】
まず、他方の固定体３１が一方の軽量形鋼材Ｐに片持ち支持された状態で、固定部３３の長さ調節のために、第３細長孔３８ｃ及び第２スリット３９ｃにより、固定部３３における第３細長孔３８ｃよりも先端側が固定面３３ａに対して傾斜するとともに固定面３３ａ側に向かうように、固定部３３の幅方向に沿って固定部３３を折り曲げる。さらに、第２細長孔３８ｂ及び第１スリット３９ｂにより、固定部３３における第２細長孔３８ｂよりも先端側が固定面３３ａに対して直交するとともに固定面３３ａ側に向かうように、固定部３３の幅方向に沿って固定部３３を折り曲げる。すると、固定部３３において、第２細長孔３８ｂと第３細長孔３８ｃとの間が固定面３３ａに対して傾斜するとともに、第２細長孔３８ｂよりも先端側が固定面３３ａに対して直交する方向に延設される。よって、各細長孔３８ｂ，３８ｃ及び各スリット３９ｂ，３９ｃにより固定部３３が折り曲げられて長さ調節されるとともに、固定部３３における第２細長孔３８ｂよりも先端側に他方の取付部が形成される。
【００８１】
そして、固定部３３における第２細長孔３８ｂよりも先端側の他端面を他方の軽量形鋼材Ｐの背面板部Ｐｂに当接させる。このとき、係止突片３７は、弾性変形することにより固定面３３ａとは反対側の面から突出された状態から固定部３３内部に収納された状態になる。さらに、挿通孔４０に取付ビス（図示せず）を挿入し、背面板部Ｐｂへ取付ビスを螺入する。すると、固定部３３における第２細長孔３８ｂよりも先端側（他方の取付部）が、他方の軽量形鋼材Ｐに固定されるとともに、他方の固定体３１が他方の軽量形鋼材Ｐに支持され、他方の固定体３１が隣り合う軽量形鋼材Ｐ間に架け渡される。よって、隣り合う軽量形鋼材Ｐ間の間隔に合わせて、他方の固定体３１を両持ち支持させることができる。
【００８２】
また、他方の固定体３１が隣り合う軽量形鋼材Ｐの間で両持ち支持された状態から、隣り合う軽量形鋼材Ｐの間隔をさらに短くする必要が生じたとする。この場合、まず、取付ビスを取り外して、固定部３３における第２細長孔３８ｂよりも先端側（他方の取付部）を他方の軽量形鋼材Ｐから取り外す。
【００８３】
次に、固定面３３ａに対して傾斜した状態の第２細長孔３８ｂと第３細長孔３８ｃとの間を、第３細長孔３８ｃ及び第２スリット３９ｃにより、固定部３３における第３細長孔３８ｃよりも先端側が固定面３３ａに対して直交するとともに固定面３３ａ側に向かうように固定部３３の幅方向に沿って固定部３３を折り曲げる。すると、図１６に示すように、固定部３３において、第２細長孔３８ｂと第３細長孔３８ｃとの間が、固定面３３ａに対して傾斜した状態から直交する方向に延設された状態になる。これにより、固定部３３における第３細長孔３８ｃよりも先端側により他方の取付部が形成されるとともに、固定部３３における第２細長孔３８ｂと第３細長孔３８ｃとの間の傾斜角度を変更することで、取付部３２と他方の取付部との間の長さを調節することができる。
【００８４】
また、図１６において破線で示すように、固定部３３において、第１細長孔３８ａよりも先端側が軽量形鋼材Ｐの側板部Ｐｃよりも前側へ突出してしまわないように、固定部３３における第１細長孔３８ａよりも先端側を、第１細長孔３８ａに沿って切断する。さらに、係止突片３７を固定部３３から切り起こされた部位に沿って切り取ることで挿通孔４０を形成する。そして、一対の挿通孔４０に取付ビス（図示せず）を挿入し、背面板部Ｐｂへ取付ビスを螺入する。すると、固定部３３における第３細長孔３８ｃよりも先端側（他方の取付部）が、他方の軽量形鋼材Ｐに固定されるとともに、他方の固定体３１が他方の軽量形鋼材Ｐに支持され、他方の固定体３１が隣り合う軽量形鋼材Ｐ間に架け渡される。よって、隣り合う軽量形鋼材Ｐ間の間隔に合わせて、他方の固定体３１を両持ち支持させることができる。
【００８５】
このように、軽量間仕切壁Ｗにスイッチ６３を設置する場合、隣り合う軽量形鋼材Ｐ間の間隔に合わせて、両持ち支持された他方の固定体３１に固定された配線ボックスＢを用いて、スイッチ６３を設置してもよい。
【００８６】
これによれば、他方の固定体３１における一方の取付部３２が一方の軽量形鋼材Ｐに支持されるとともに、他方の固定部３３における先端側を折り曲げることで他方の取付部を形成し、他方の取付部を他方の軽量形鋼材Ｐに固定することで、他方の固定体３１を隣り合う軽量形鋼材Ｐの間に架設させることができる。よって、他方の固定体３１が隣り合う軽量形鋼材Ｐに両持ち支持されるため、他方の固定体３１が軽量形鋼材Ｐに片持ち支持されている場合に比べて、強度を高くすることができる。
【００８７】
また、各細長孔３８ａ〜３８ｄ及びスリット３９ｂ〜３９ｄを利用して、固定部３３の先端側を固定面３３ａ側へ折り曲げる際に、固定面３３ａと折り曲げられた固定部３３の先端側とがなす傾斜角度を調節することで、固定部３３における延設方向に沿った長さを調節することができる。よって、隣り合う軽量形鋼材Ｐの間の所望の間隔が、固定部３３における延設方向に沿う長さよりも短い場合であっても、固定部３３における延設方向に沿った長さを調節することで、隣り合う軽量形鋼材Ｐの間の間隔に合わせて、他方の固定体３１を隣り合う軽量形鋼材Ｐ間に架設させることができる。
【００８８】
○  実施形態では、曲げ部として、固定部３３の厚み方向へ貫通する細長孔３８ａ〜３８ｄを設けたが、これに限らず、例えば、曲げ部として固定部３３の厚み内に溝を形成して、固定部３３の厚みを薄くすることで、折り曲げ易くしてもよい。
【００８９】
○  実施形態において、一方の固定体２１における取付部２２と固定部２３との間の部位（屈曲部２６）の一部分に、補強リブ３２ｂを取付部３２と固定部３３とを跨ぐようにさらに設けてもよい。
【００９０】
○  実施形態では、スイッチ６３が設置される配線ボックスＢを、一方の固定部２３の固定面２３ａに固定したが、これに限らず、他方の固定体３１を軽量形鋼材Ｐに取り付けるとともに、他方の固定部３３の固定面３３ａに配線ボックスＢを固定してもよい。
【００９１】
○  実施形態において、係止部として、固定面３３ａから離間する側へ切り起こされる係止突片３７を設けたが、これに限らず、例えば、係止部として、固定部３３とは別体である突起部を固定部３３における固定面３３ａとは反対側の面に溶接して固着させることで設けてもよい。
【００９２】
○  実施形態において、固定部２３における長孔２３ｂが形成された位置よりも幅方向にずれた位置には、固定部２３の厚み方向へ貫通する被係止孔２５が、固定部２３の延設方向に沿って延びるように形成されていたが、これに限らない。例えば、固定部２３における長孔２３ｂが形成された位置よりも幅方向にずれた位置に、係止突片３７が係止可能な溝が、固定部２３の延設方向に沿って延びるように形成されていてもよい。
【００９３】
○  実施形態のボックス固定具１０では、被係止孔２５を、固定部２３の先端側から基端側にかけて延びるように形成し、一対の固定体２１，３１を互いにスライドさせる際に、係止突片３７が被係止孔２５に案内されながらスライド可能にする案内機能を持たせたが、これに限らない。つまり、一対の固定体２１，３１を互いにスライドさせる際に、係止突片３７が案内されながらスライド可能にする案内機能を固定部２３に持たせなくてもよい。例えば、図２において二点鎖線で示すように、固定部２３の先端部に、実施形態の被係止孔２５における延設方向に沿う長さよりも短い被係止孔５１を形成する。これにより、一対の固定体２１，３１が、取付部２２，３２が互いに離間する方向へスライドして、一方の固定体２１が他方の固定体３１から脱離する直前に、係止突片３７の先端側が被係止孔５１に挿入されて、被係止孔５１の先端側内面に係止突片３７が係止される。
【００９４】
○  実施形態において、係止突片３７は、固定部３３から切り起こされた部位から先端にかけて撓るように弾性変形可能になっていたが、これに限らず、係止突片３７が剛性を有していてもよい。
【００９５】
○  実施形態において、一方の固定体２１及び他方の固定体３１は、取付部２２，３２に組み付けられる取付台座４１を介して軽量形鋼材Ｐに取り付けられたが、これに限らず、取付部２２，３２に取付台座４１を組み付けずに、取付部２２，３２を軽量形鋼材Ｐに直接取り付けてもよい。
【００９６】
○  実施形態では、一方の固定部２３に被係止孔２５が形成されるとともに、他方の固定部３３の先端部に係止突片３７が設けられていたが、これに限らない。例えば、一方の固定部２３の先端部に係止突片を設けるとともに、他方の固定部３３に被係止孔が形成されていてもよい。この場合、係止突片が固定部３３の固定面３３ａよりも突出しないようにする。
【００９７】
○  実施形態において、間仕切壁は軽量間仕切壁Ｗであったが、これに限らず、軽量間仕切壁Ｗ以外の間仕切壁であってもよい。
○  実施形態において、下地材は軽量形鋼材Ｐであったが、これに限らず、例えば、振れ止めや胴縁であってもよい。
【００９８】
○  本発明を、軽量間仕切壁Ｗ内に配線ボックスＢを設置するために軽量形鋼材Ｐに固定されるボックス固定具に適用したが、これに限らず、例えば、軽量間仕切壁Ｗ内に配設体としての配線・配管材を設置するために軽量形鋼材Ｐに固定される配設体固定具に適用してもよい。
【００９９】
次に、上記実施形態及び別例から把握できる技術的思想について以下に追記する。
（イ）前記屈曲部には、前記取付部と前記固定部とを跨ぐように補強リブがさらに設けられていることを特徴とする請求項１〜請求項３のいずれか一項に記載の配設体固定具。
【０１００】
（ロ）前記固定部の先端側には、前記固定部の延設方向に直交する幅方向に沿って前記固定部を折り曲げ可能とする曲げ部が設けられるとともに、前記曲げ部により折り曲げられる前記固定部の傾斜角度を変更することで長さ調節されることを特徴とする請求項１〜請求項３、及び前記技術的思想（イ）のいずれか一項に記載の配設体固定具。
【０１０１】
（ハ）前記曲げ部は、前記固定部における幅方向に沿って延びる孔と、前記固定部における幅方向の両側縁部に前記孔を挟む位置それぞれに形成されるスリットと、から構成されていることを特徴とする前記技術的思想（ロ）に記載の配設体固定具。
【符号の説明】
【０１０２】
Ｂ…配設体としての配線ボックス、Ｐ…下地材としての軽量形鋼材、Ｗ…間仕切壁としての軽量間仕切壁、１０…配設体固定具としてのボックス固定具、２１…一方の固定体、２２…取付部、２３…固定部、２３ａ…固定面、２５…案内部として機能する被係止孔、２５ａ…被係止部として機能する内面、２６…屈曲部、３１…他方の固定体、３２…取付部、３２ｂ…補強リブ、３３…固定部、３３ａ…固定面、３６…屈曲部、３７…係止部としての係止突片、３８ａ〜３８ｄ…曲げ部として機能可能な細長孔、３９ｂ〜３９ｄ…曲げ部として機能可能なスリット、５１…被係止孔、６１…コンセント、６３…スイッチ。
【図１】
2011174327.tif 000003
【図２】
2011174327.tif 000004
【図３】
2011174327.tif 000005
【図４】
2011174327.tif 000006
【図５】
2011174327.tif 000007
【図６】
2011174327.tif 000008
【図７】
2011174327.tif 000009
【図８】
2011174327.tif 000010
【図９】
2011174327.tif 000011
【図１０】
2011174327.tif 000012
【図１１】
2011174327.tif 000013
【図１２】
2011174327.tif 000014
【図１３】
2011174327.tif 000015
【図１４】
2011174327.tif 000016
【図１５】
2011174327.tif 000017
【図１６】
2011174327.tif 000018